(57)【要約】【課題】スタンド状態での保持が確実で信頼性が高く、操作を簡単なワンタッチで行うことができるなどの取り扱い性などの利便性が期待できるスタンドを備えた幼児用歩行器を提供する。【解決手段】車輪５を備えるベース体１に、車輪５を浮上させた状態で床面など着地させるためのスタンド７を備えている。このスタンド７は、ベース体１に取り付けられる本体部１６と、この本体部１６に上下動自在に組み込まれて、重さにより自然下降するロッド部材１７と、このロッド部材１７に取り付けられる台座１８と、本体部１７に横移動自在に組み込まれて、ロッド部材１７を上昇限および下降限のそれぞれの位置において係脱自在に保持するように弾発部材３５により付勢されている操作部材１９とを備えている。【選択図】図３
0003126821.tif 000002
【実用新案登録請求の範囲】
【請求項１】
ベース体の下面に車輪を備えて、幼児が自分の意思で走行することができるように構成されている幼児用歩行器であって、
前記ベース体に、前記車輪を浮上させた状態で着地させるためのスタンドを数ヶ所に備えてなり、
前記スタンドは、前記ベース体に取り付けられる本体部と、
この本体部内に上下動自在で、かつ、本体部の下面から突出するように組み込まれるロッド部材と、
このロッド部材の下端側に取り付けられる台座と、
前記本体部に組み込まれて、前記ロッド部材を上昇限および下降限のそれぞれの位置において下降および上昇しないように係脱自在に保持し、かつ、その保持状態を解除するための操作部材と、を備えて構成され、
前記ロッド部材は、上昇限における前記操作部材による保持状態が解除されることで、前記台座との重みにより自重で下降するように形成され、
前記操作部材は、前記ロッド部材に対して直交する水平方向に移動自在で、かつ、外部へ突出するように、前記本体部に組み込まれているとともに、前記ロッド部材を下降限および上昇限の位置にそれぞれ保持するその突出方向に弾発部材によって付勢されていることを特徴とする幼児用歩行器。
【考案の詳細な説明】
【技術分野】
【０００１】
本考案は、車輪（キャスタ）を備えている幼児用歩行器に係り、特に、幼児が部屋の中を勝手に走行できないように車輪を浮上させるために用いられるスタンドを備えている幼児用歩行器に関する。
【背景技術】
【０００２】
従来、スタンドを備えている幼児用歩行器としては、例えば、特許文献１などにおいて知られている。
この特許文献１に開示されている幼児用歩行器は、車輪を備えるベース体の後辺部もしくは前辺部の下面に、歩行器の幅方向にわたるように略コの字形状を呈するスタンドを起伏動自在に支承させて備えている。
【０００３】
そして、スタンドが備えられるベース体の両側下面には下向きに開口する縦孔がそれぞれ形成されていて、スタンドを起こしたときに、スタンドの左右両側に形成されている支承端部が縦孔に入り込むことで、スタンドの起し状態が維持されるようにしている。
つまり、この従来の幼児用歩行器は、スタンドを起こしたときの維持状態のときにはスタンドの下端杆部が着地し、これにより、ベース体の後方位置もしくは前方位置に備えられている車輪を浮上させる。そして、スタンドの左右両側の支承端部をそれぞれの縦孔から抜いて倒伏状態としたときには、スタンドの左右両側の基端部分が、縦孔の開口側において横向きに連通するように形成されている横孔の突起部に当接して倒伏状態を維持するようにしている。
【特許文献１】実用新案登録第３０４９０３０号公報（段落番号０００９、図３、図５及び図６参照）
【考案の開示】
【考案が解決しようとする課題】
【０００４】
しかしながら、前記した従来の幼児用歩行器に備えられているスタンドは、車輪を浮上させて着地する起し状態が簡単に解除されてしまうなどのスタンドとして確実に機能しないことがある。
つまり、幼児は歩行器の座席におとなしく着座していない。そのために、幼児が前に行こうとする力を歩行器に加えたときに、スタンドの起し状態を維持するように縦孔に係止されているスタンドの支承端部が、幼児の動きによって縦孔から簡単に抜けてしまってスタンドが倒れてしまうことがあり、スタンドとしての信頼性などに問題を有していた。
【０００５】
また、従来の幼児用歩行器では、スタンドを起したり、倒すときの操作が面倒であるなどの取り扱い性においても改善する必要があった。
つまり、スタンドを起す場合には、通常、幼児が歩行器に乗っている状態で行われることが多い。そのために、母親はスタンドがついている歩行器の前側あるいは後側を片手で持ち上げ、この状態を保ちながらスタンドを起すものであるが、従来では、ベース体の左右両側の縦孔に連なる横孔の突起部に対して係止されているスタンド両側の支承端部の係止状態それぞれ解除する操作を必要とするために、その操作が面倒なものとなっていた。
【０００６】
そこで、本考案は、前記課題を解消するために創案されたものであり、スタンド状態での保持が確実で信頼性が高く、しかも、操作を簡単なワンタッチで行うことができるなどの取り扱い性などの利便性が期待できるスタンドを備えた幼児用歩行器を提供することにある。
【課題を解決するための手段】
【０００７】
前記課題を解決するために、本考案では、ベース体の裏面に車輪を備えて、幼児が自分の意思で走行することができるように構成されている幼児用歩行器であって、
前記ベース体の裏面に、前記車輪を浮上させた状態で着地させるためのスタンドを数箇所に備えてなり、前記スタンドは、前記ベース体に取り付けられる本体部と、この本体部内に上下動自在で、かつ、下面から突出するように組み込まれるロッド部材と、このロッド部材の下端側に取り付けられる台座と、前記本体部に組み込まれて、前記ロッド部材を上昇限および下降限のそれぞれの位置において下降および上昇しないように係脱自在に保持し、かつ、その保持状態を解除するための操作部材と、を備えて構成され、前記ロッド部材は、上昇限における前記操作部材による保持状態が解除されることで、前記台座との重みにより自重で下降するように形成され、前記操作部材は、前記ロッド部材に対して直交する方向に移動自在で、かつ、外部へ突出するように、前記本体部に組み込まれているとともに、前記ロッド部材を下降限および上昇限の位置にそれぞれ保持するその突出方向に弾発部材によって付勢されていることを特徴とするものである。
【０００８】
このように構成されている本考案によれば、歩行器を持ち上げ、弾発部材によって突出しているスタンドの操作部材をプッシュするように手で押し込む。これにより、ロッド部材の上昇限における保持状態が解除され、ロッド部材は台座との重みによって自然に自重下降される。
ロッド部材が下降突出したことを確認したところで、操作部材から手を離す。すると、操作部材は弾発部材によって突出方向に移動される。これにより、車輪を床面などから浮上させたスタンド状態で歩行器を保持することができる。
【０００９】
そして、台座を床面などから離間させる上昇限にロッド部材を戻す場合には、前記したように、操作部材を押し込み、ロッド部材の下降限における保持状態を解除し、ロッド部材を上昇させる。ロッド部材を上昇限まで上昇させたところで操作部材から手を離す。これにより、ロッド部材を上昇限に保持させておくことができる。
【考案の効果】
【００１０】
本考案に係る幼児用歩行器は、以上のように構成されていることで、従来の歩行器のように、幼児の動きなどによって簡単にスタンド状態が解除されるなどのおそれはなく、車輪を浮上させた状態で台座を着地させるように、自重下降させたロッド部材の下降状態を確実に保持することができる。つまり、スタンド状態を確実に保持することができる。これにより、スタンドとしての高い信頼性が得られることとなる。
また、台座とともにロッド部材を自重下降させてスタンド状態にするときに、操作部材を押し込むといったワンタッチ操作で行うことができることで、取り扱い性などの利便性においても優れた効果を期待することができる。
さらに、床面などに着地させる台座を備えているロッド部材は、バネ部材などを用いることなく台座との重みによる自重によって上昇限から下降させるように形成していることで、ロッド部材を下降させたり、上昇させるときの操作において、誤って手を挟むなどのおそれはなく、安全に使用することができる。
【考案を実施するための最良の形態】
【００１１】
以下、本考案に係る幼児用歩行器の最良の実施形態について、適宜図面を参照しながら詳細に説明する。
図１は、本実施形態に係る幼児用歩行器を示す斜視図であり、図２は、同幼児用歩行器を示す底面図である。
【００１２】
幼児用歩行器（以後、単に「歩行器」と称する）Ａは、図１および図２に示すように、車輪５を備えているベース体１と、幼児を座らせるための座席６を備えている上部枠体２と、この上部枠体２とベース体１とを連結する左右両側の２本の支持杆３，４とを備えて構成されている。
【００１３】
ベース体１および上部枠体２は、合成樹脂材料などを用いた型成形によって前後方向に長い平面視が略矩形形状に形成されている。
ベース体１は、前側と後側、それらの中間部位における下面に、計７個の車輪５をそれぞれ備えている。
【００１４】
また、ベース体１は、図１および図２に示すように、車輪５の一部を床面などから浮上させた状態で床面Ｇなどに着地させるためのスタンド７を、後側における左右両側にそれぞれ備えている。これにより、ベース体１の中間部位と後側に存在している四ヶ所の車輪５を床面Ｇなどから浮上させるスタンド状態で歩行器Ａを走行不動（移動不能）に保持することができるようにしている。
【００１５】
上部枠体２は、図１に示すように、後半部側に座席６を備え、前半部側にはテーブル８を備えている。このテーブル８には、パネル型の玩具８ａが適宜取り外すことができるように着脱自在に備えられている。
【００１６】
また、上部枠体２は、図２に示すように、後側下面部位に支持杆３の上部横杆９が回動自在に、かつ、前後摺動自在に収容されるカバー１０を備えている。このカバー１０内には、上部横杆９を前方へ向けて付勢するためのバネ部材（図示省略）が内装されており、座席６上で幼児が暴れたり、飛び上がるなどの動きをしたとしても、バネ部材によりその振動が吸収され、幼児に与える衝撃を低減することができるようにしている。
【００１７】
２本の支持杆３，４は、ベース体１の上に、座席６を備える上部枠体２を高さ可変自在に支持し、そして、歩行器Ａを保管するときなどには、上部枠体２をベース体１の上に重なるように、ベース体１と上部枠体２とを連結するものであり、前後左右の脚部３ａ，４ａを互いに交差させ、その交差部分が軸支されることで、側面視で略Ｘ字状に組み合わせ構成されるようになっている。
そして、この２本の支持杆３，４のうちの一方の支持杆３は、図1に示すように、左右両側の脚部３ａ，３ａの下端部１１，１１が、ベース体１の前側における左右両側の内側にそれぞれ設けられている長孔１２に、前後摺動自在に挿入されて保持されている。
【００１８】
また、２本の支持杆３，４は、図２に示すように、左右両側のそれぞれの脚部３ａ，４ａの上端を連結する上部横杆９，１３が、上部枠体２の下面後端部において、周方向に回動自在に取り付けられている。
【００１９】
そして、支持杆４は、図２に示すように、左右両側の脚部４ａ，４ａの下端部１４を、ベース体１の後端部両側における内面側に回動自在に軸支させている。
【００２０】
また、図２に示すように、左右両側の脚部４ａ,４ａの上端を連結する上部横杆１３は、上部枠体２の前側下面に、調整機構１５を介して前後に段階的に摺動（移動）し得るように取り付けている。
【００２１】
図３および図４は、本実施形態に係るスタンドを示す縦断面図であり、図５は、同スタンドを分解して示す斜視図である。ここでは、図１を適宜参照しながら説明する。
スタンド７は、図３および図４、図５に示すように、ベース体１に取り付けられる本体部１６と、この本体部１６内に上下動自在で、かつ、下面から突出するように組み込まれるロッド部材１７と、このロッド部材１７の下端側に取り付けられる台座１８と、本体部１６内に組み込まれて、ロッド部材１７を上昇限および下降限のそれぞれの位置において下降および上昇しないように係脱自在に保持し、かつ、その保持状態を解除するための操作部材１９とを備えて構成されている。
【００２２】
本体部１６は、図５に示すように、上下に２分割され、ネジ２０によって組み合わせ連結される上部部材１６ａと下部部材１６ｂとを備えている。この上部部材１６ａおよび下部部材１６ｂは、合成樹脂材料などを用いた型成形によってそれぞれ一体に形成されている。
【００２３】
上部部材１６ａは、上面を閉鎖し、下面を開口させた円筒状に形成されており、その外周における要所の二ヶ所にはベース体１への取付部２１をそれぞれ備えている（図１参照）。
また、上部部材１６ａは、下面開口縁の外周における等間隔をおいた四ヶ所に下部部材１６ｂと同軸上に連結させるためのネジ挿通孔２３を有する連結鍔部２２をそれぞれ備えている。
【００２４】
さらに、上部部材１６ａは、相対する両内面に、操作部材１９の後記する筒体部１９ａを、横断面方向（筒方向に対して直交する水平方向）に移動自在（摺動自在）に組み込み内設させるためのガイド部２４を、平面視で平行に相対するようにそれぞれ備えている。
【００２５】
下部部材１６ｂは、上面を開口し、下面を閉鎖させた円筒状に形成されており、閉鎖された下面の中央部位（軸芯）には、ロッド部材１７を上下動自在に支持させるための軸孔２５を備えている。
また、下部部材１６ｂは、上面開口縁の外周における等間隔をおいた四ヶ所に上部部材１６ａに連結させるためのネジ孔２７を有する連結ボス部２６をそれぞれ備えている。
【００２６】
下部部材１６ｂの軸孔２５は、下部部材１６ｂの閉鎖された下面の内側中央部（軸芯）に適宜の高さにて形成されているボス部２８の軸芯に貫通状に備えられて、ロッド部材１７を芯振れなどが生じないように上下垂直にガイドするように、そして、ロッド部材１７が台座１８との重さによって自重で自然下降する孔径に形成されている。
【００２７】
また、下部部材１６ｂは、上部部材１６ａと同じく、相対する両内面に、操作部材１９の筒体部１９ａ、移動自在（摺動自在）に組み込み内設させるためのガイド壁部２９を、平面視で平行に相対するようにそれぞれ備えている。
【００２８】
ロッド部材１７は、金属材や合成樹脂材料などによって形成されている。このロッド部材１７は、座席６上の幼児が暴れたり、飛び上がるなどの動きをしても曲がるなどの変形をおこすことがないように所望の太さに形成され、かつ、車輪５を浮上させた状態で台座１８を床面Ｇなどに着地し得る程度の長さに形成されている。
そして、このロッド部材１７の上端部側には、係合部材３０をネジ止めや接着などによってキャップ状（被嵌状）に備えている。これにより、操作部材１９との係脱自在な係合によってロッド部材１７を上昇限および下降限のそれぞれの位置において保持するとともに、ロッド部材１７が本体部１６（軸孔２５）から抜け外れないようにしている。
【００２９】
このロッド部材１７の下端側に取り付ける台座１８は、床面Ｇなどに所定の面積にて着地し得る程度の直径に、合成樹脂材料などを用いた型成形によって一体に形成されている。
この台座１８は、図３および図４、図５に示すように、リング状や放射状のリブ群によって補強された下向き開口の外周縁部にフランジ部３１を備えており、このフランジ部３１に嵌め込み係止させた状態で、その下面開口を閉鎖するように弾性部材３２を備えている。
そして、この台座１８の上面中央部（軸芯）には、ロッド部材１７の下端側にネジ止めや接着剤などによって固定するための穴部３３を備えている。
【００３０】
弾性部材３２は、台座１８が着地する床面Ｇなどに対する台座１８の滑り止めと、床面Ｇなどに傷などを与えないように、台座１８の着地面に備えられるもので、ラバーやポリ塩化ビニール（ＰＶＣ）などの適度の硬さと滑り止め効果を有する所望な材料によって形成されている。
【００３１】
また、この弾性部材３２は、図３および図４に示すように、径を異にするリング状、あるいは放射状や格子状の凸部３４を下面に備えている。これにより、床面Ｇなどに面接触にて密着することなく、適度の滑り止め効果が得られるようにしている。
【００３２】
このように、スタンド状態において床面Ｇなどに着地させる台座１８に弾性部材３２を備えた構成とすることで、台座１８は着地する床面Ｇなどとの摩擦抵抗によって歩行器Ａの動きをより一層確実に防ぐことができる。
つまり、歩行器Ａに乗っている幼児が、動こうとして床面Ｇを蹴るなどの行動をとっても、弾性部材３２の床面Ｇなどに対する滑り止め効果によって歩行器Ａの動きを止めることができる。また、床面Ｇなどへの損傷などを防ぐことができる。
【００３３】
図６は、本実施例に係るスタンドの操作部材を示す斜視図と横断面図である。ここでは、図３および図５を適宜参照しながら説明する。
操作部材１９は、図５および図６に示すように、筒体部１９ａと、この筒体部１９ａの外面から側方に向けて水平に突出させた操作部１９ｂとを備えて形成されている。
【００３４】
筒体部１９ａは、図３および図６に示すように、本体部１６の上部部材１６ａの閉鎖された上面から下部部材１６ｂの軸孔２５を備えているボス部２８の上端に至る程度の高さで、なおかつ、上部部材１６ａおよび下部部材１６ｂのそれぞれの内側に備えた平行なガイド部２４，２９の間隔にて平行な壁面を有する横断面が略矩形形状に形成されている。
これにより、筒体部１９ａは、操作部１９ｂのプッシュ操作と、後記する弾発部材３５とによって本体部１６内に、筒方向に対して直交する水平方向に移動自在に組み込み内設される。
【００３５】
また、この筒体部１９ａは、図３および図６に示すように、その両側短辺間の中心において一半部側の筒方向に、ロッド部材１７が上下動するための移動通路部３６を確保し、その他半部側を筒方向に完全に埋め殺す。そして、この埋め殺した筒方向（高さ方向）の中心部位を残して上部開口側と下部開口側とに、ロッド部材１７を上昇限の位置と下降限の位置とにそれぞれ係脱自在に係合させる上部段部３７と下部段部３８とを、それぞれ移動通路部３６に通させた状態で備えている。
【００３６】
上部段部３７は、ロッド部材１７の上端部側に備えた係合部材３０の円周下面が係合されることで、ロッド部材１７を上昇限に保持するように、移動通路部３６に対して連通させた状態で直交する水平状に形成されている。
また、下部段部３８は、係合部材３０の上面が係合されることで、ロッド部材１７を下降限に保持するように、移動通路部３６に対して連通させた状態で直交する水平状に形成されている。
【００３７】
また、筒体部１９ａの上部段部３７と下部段部３８との間における埋め殺した一側短辺部分に、横向きに開口するように形成された横穴３９を備え、この横穴３９に弾発部材３５の一端側が挿着されるようにしている（図３参照）。
【００３８】
弾発部材３５は、コイルバネやその他の弾発性（反発力）に優れている弾性ゴムなどから適宜の外径と長さに形成されている。
この弾発部材３５は、図３に示すように、一端側を筒体部１９ａの横穴３９に嵌め込み挿着し、他端側を上部部材１６ａと下部部材１６ｂとにまたがって内面に形成されている凹み４０に嵌め込み挿着するように、本体部１６内に組み込まれる。
これにより、筒体部１９ａは、弾発部材３５の弾発力（付勢力）によって、ロッド部材１７を上昇限および下降限のそれぞれの位置に保持するように、本体部１６内の移動位置に保持されるものである（図３の（ａ）および図４の（ａ）参照）。
【００３９】
そして、操作部材１９の操作部１９ｂは、図３および図６に示すように、の（ｂ）内側に移動通路部３６を有する筒体部１９ａの他側短辺における筒方向（高さ方向）の中心部位（横穴３９と相対する反対側部位）に側方に向けた水平に形成されている。
この操作部１９ｂは、図３の（ｂ）に示すように、本体部１６内に内設される筒体部１９ａを、弾発部材３５の弾発力に抗して水平移動（横移動）させることで、ロッド部材１７の上昇限の位置における係脱自在な保持状態を解除するように、本体部１６に形成されている突出口４１から外部に水平に突出されるように形成されている。
【００４０】
突出口４１は、本体部１６の上部部材１６ａと下部部材１６ｂとを連結することによって、上部部材１６ａと下部部材１６ｂとのそれぞれの下面開口と上面開口との間に形成されるように、該下面開口と上面開口に切欠きなどに備えられる。
【００４１】
また、本実施例では、ロッド部材１７を下降限の位置に保持させ（図４の（ａ）の状態）、歩行器Ａを走行不動に保持させたスタンド状態において（図１の状態）、操作部材１９の操作部１９ｂが弾発部材３５の弾発力に抗して本体部１６内に押し込まれる誤操作が、万が一起きたとしても、筒体部１９ａの下部段部３８に対するロッド部材１７の係合状態が解除されないように構成している。
【００４２】
すなわち、図６に示すように、筒体部１９ａの下部段部３８における移動通路部３６側に、下部段部３８の段部面よりも下方に突出させた係止突起４２を、下部段部３８の両側にそれぞれ備えている。
これにより、ロッド部材１７の上端に備えられている係合部材３０の上面が下部段部３８の段部面に当接して係合された状態において、係止突起４２に係合部材３０の円周縁面が係止されることによって（図６の（ａ）の二点鎖線の状態）、操作部材１９の操作部１９ｂが弾発部材３５の弾発力に抗して本体部１６内に押し込まれる誤操作が起きても、ロッド部材１７の下部段部３８に対する係合状態が解除される方向に筒体部が横移動しないように構成されている。
つまり、スタンド７が備えられている歩行器Ａの後側を持ち上げない限り、下降限におけるロッド部材１７の保持（係合）状態を解除することができないようにしている。
【００４３】
つぎに、以上のように構成されている本実施形態に係るスタンド７の動きについて簡単に説明する。ここでは、図１、図３および図４を適宜参照しながら説明する。
台座１８を床面Ｇなどに着地させて、車輪５を浮上させるスタンド状態とするときには、スタンド７が備えられている歩行器Ａの後側を持ち上げ、スタンド７の本体部１６から外部に水平に突出している操作部材１９の操作部１９ｂを、弾発部材３５の弾発力に抗して本体部１６内に手で押し込む。
これにより、操作部材１９の筒体部１９ａに備えられている上部段部３７に対するロッド部材１７の上昇限における保持状態（上部段部３７に対する係合部材３０の円周下面の係合状態）が解除される。すると、図３の（ｂ）に示すように、ロッド部材１７は、筒体部１９ａ内の移動通路部３６を通って台座１８との重みによる自重で下降限まで自然に下降される。
【００４４】
そして、ロッド部材１７（台座１８）が下降したことを確認したところで、操作部材１９の操作部１９ｂから手を離す。すると、操作部材１９の筒体部１９ａは、弾発部材３５によって操作部１９ｂが本体部１６から突出する水平方向に移動される。
操作部１９ｂが元の突出状態に戻されると、操作部材１９の筒体部１９ａに備えられている下部段部３８に対してロッド部材１７が保持される。つまり、筒体部１９ａの下部段部３８に対して係合部材３０の上面が係合される（図４の（ａ）の状態）。
これにより、ロッド部材１７は、車輪５を床面Ｇから持ち上げ、台座１８が床面Ｇなどに着地する下降限の位置に保持（係合）され、歩行器Ａを走行不動に保持する（図１の拡大図参照）。
【００４５】
一方、歩行器Ａのスタンド状態を解除するときには、歩行器Ａの後側を持ち上げる。すると、ロッド部材１７の係合部材３０がボス部２８の上端で受け止められる位置までロッド部材１７が台座１８との自重で下がり、係止突起４２に対するロッド部材１７の係止状態が解除される（図４の（ｂ）参照）。
係止突起４２に対するロッド部材１７の係止状態を解除させた状態で、本体部１６から突出する操作部材１９の操作部１９ｂを、弾発部材３５の弾発力に抗して本体部１６内に手で押し込む。これにより、ロッド部材１７は、筒体部１９ａ内の移動通路部３６を通って上昇し得る状態となる（図３の（ｂ）参照）。
【００４６】
そして、操作部材１９の操作部１９ｂから手を離し、台座１８を手で持ち上げてロッド部材１７を本体部１６内の上昇限まで上昇させる。
これにより、操作部材１９の筒体部１９ａが弾発部材３５により自動的に戻されて（図３の（ａ）の状態）、台座１８を床面Ｇから離間させた上昇限の位置にロッド部材１７を保持させることができる（図１参照）。
【図面の簡単な説明】
【００４７】
【図１】本実施形態に係る幼児用歩行器を示す斜視図である。
【図２】同幼児用歩行器を示す底面図である
【図３】本実施形態に係るスタンドを示す縦断面図であり、（ａ）は、ロッド部材が上昇限の位置に保持された状態を示し、（ｂ）は、ロッド部材が移動通路部を通って下降または上昇する状態を示す。
【図４】同スタンドを示す縦断面図であり、（ａ）は、ロッド部材が下降限の位置に保持された状態を示し、（ｂ）は、歩行器の後側を持ち上げて、係止突起に対するロッド部材の係止状態が解除された状態を示す。
【図５】同スタンドを分解して示す斜視図である。
【図６】同スタンドの操作部材を示し、（ａ）は、斜視図であり、（ｂ）は、（ａ）のｂ−ｂ線の横断面図である。
【符号の説明】
【００４８】
Ａ    幼児用歩行器
１    ベース体
５    車輪
６    座席
７    スタンド
１６  本体部
１７  ロッド部材
１８  台座
１９  操作部材
１９ａ  筒体部
１９ｂ  操作部
３５  弾発部材
４２  係止突起
【図１】
0003126821.tif 000003
【図２】
0003126821.tif 000004
【図３】
0003126821.tif 000005
【図４】
0003126821.tif 000006
【図５】
0003126821.tif 000007
【図６】
0003126821.tif 000008